(57)【要約】【課題】燃料電池のパージを自身（電子機器）の状態に応じた最適なタイミングで行うことが可能な電子機器を提供する。【解決手段】燃料電池部８０は、燃料電池スタック８１と、燃料電池スタック８１に対してパージするパージ弁８３と、パージ弁８３に対してパージの指示を行う燃料電池システム制御回路９０とを備える。システム制御回路５０は、燃料電池８０内の燃料電池システム制御回路９０からパージの指示の許可を求められると、電子機器における消費電力、動作状態、及び利用者の操作のいずれか一つ又はそれらの組合せに応じて、燃料電池８０内の燃料電池システム制御回路９０に対してパージの指示を許可するか否かを判断し、当該判断結果を燃料電池システム制御回路９０へ出力する。【選択図】図１
2006344588.tif 000002
【特許請求の範囲】
【請求項１】
燃料ガスと酸化ガスとを化学反応させて電力を出力する電力出力手段と、前記電力出力手段に対してパージするパージ手段と、前記パージ手段に対してパージの指示を行うパージ制御手段とを有する燃料電池を少なくとも一つの電源とする電子機器であって、
前記電子機器の消費電力、動作状態もしくは被操作状態を監視する監視手段と、
前記監視手段の出力に応じて、前記パージ制御手段に対してパージの指示を許可するか否かを判断し、当該判断結果を前記パージ制御手段へ出力するパージ許可手段とを有することを特徴とする電子機器。
【請求項２】
前記電力出力手段の出力電圧を測定する測定手段を更に備え、
前記パージ許可手段は、前記測定手段の測定結果を考慮して前記パージ制御手段に対してパージの指示を許可するか否かを判断することを特徴とする請求項１に記載の電子機器。
【請求項３】
前記監視手段は、少なくとも前記電子機器における消費電力が所定値以下か否かを監視することを特徴とする請求項１または２に記載の電子機器。
【請求項４】
前記監視手段は、少なくとも前記電子機器に対する電力供給をオンするタイミングを監視することを特徴とする請求項１ないし３のいずれか１項に記載の電子機器。
【請求項５】
前記燃料電池のうち、少なくとも前記燃料ガスを貯蔵する燃料貯蔵部は前記電子機器に対して着脱可能であり、
前記監視手段は、少なくとも前記燃料貯蔵部が前記電子機器に装着されるタイミングを監視することを特徴とする請求項１ないし３のいずれか１項に記載の電子機器。
【請求項６】
前記監視手段は、少なくとも所定時間に渡って利用者の操作がない場合に実行されるオートパワーオフのタイミングを監視することを特徴とする請求項１ないし３のいずれか１項に記載の電子機器。
【請求項７】
前記監視手段は、少なくともオートパワーオフの状態から復帰するタイミングを監視することを特徴とする請求項１ないし３のいずれか１項に記載の電子機器。
【請求項８】
利用者がパージの指示を行うための指示手段を更に備え、
前記監視手段は、少なくとも前記指示手段によりパージの指示がなされることを監視することを特徴とする請求項１ないし３のいずれか１項に記載の電子機器。
【請求項９】
前記監視手段の出力に応じて、前記指示手段による指示を利用者に促す警告を表示する表示手段を更に有することを特徴とする請求項８に記載の電子機器。
【請求項１０】
少なくとも前記パージ手段がパージを実行している期間は、前記燃料電池以外の電源に電力供給を行わせるように電源を切替える電源切替え手段を更に有することを特徴とする請求項１ないし３のいずれか１項に記載の電子機器。
【請求項１１】
燃料ガスと酸化ガスとを化学反応させて電力を出力する電力出力手段と、前記電力出力手段に対してパージするパージ手段と、前記パージ手段に対してパージの指示を行うパージ制御手段とを有する燃料電池を少なくとも一つの電源とする電子機器の制御方法であって、
前記電子機器の消費電力、動作状態もしくは被操作状態を監視する監視ステップと、
前記監視ステップの監視結果に応じて、前記パージ制御手段に対してパージの指示を許
可するか否かを判断する判断ステップと、
前記判断ステップでの判断結果を前記パージ制御手段へ出力する出力ステップとを有することを特徴とする電子機器の制御方法。
【請求項１２】
燃料ガスと酸化ガスとを化学反応させて電力を出力する電力出力手段と、前記電力出力手段に対してパージするパージ手段と、前記パージ手段に対してパージの指示を行うパージ制御手段とを有する燃料電池を少なくとも一つの電源とする電子機器の制御方法をコンピュータに実行させるためのプログラムであって、
前記電子機器の消費電力、動作状態もしくは被操作状態を監視する監視ステップと、
前記監視ステップの監視結果に応じて、前記パージ制御手段に対してパージの指示を許可するか否かを判断する判断ステップと、
前記判断ステップでの判断結果を前記パージ制御手段へ出力する出力ステップとをコンピュータに実行させるためのプログラム。
【請求項１３】
燃料ガスと酸化ガスとを化学反応させて電力を出力する電力出力手段と、
前記電力出力手段に対してパージするパージ手段と、
駆動する電子機器からの許可信号に応じて前記パージ手段に対してパージの指示を行うパージ制御手段とを有することを特徴とする燃料電池。
【請求項１４】
前記パージ制御手段は、前記電子機器に対してパージ実行の許可を求めることを特徴とする請求項１３に記載の燃料電池。
【請求項１５】
前記パージ制御手段は、前記電力出力手段の出力電圧が所定値を下回ったときに、前記前記電子機器に対してパージ実行の許可を求めることを特徴とする請求項１３または１４に記載の燃料電池。
【発明の詳細な説明】
【技術分野】
【０００１】
本発明は、燃料電池を電源として利用可能な電子機器、その制御方法及びプログラムに関し、より詳しくは、パージすることにより発電効率を回復させる燃料電池を搭載した電子機器、その制御方法及びプログラムに関する。
【背景技術】
【０００２】
現在、電池による電力供給を受けて機能する様々な機器が存在している。その中で、特に屋外使用が可能な電子機器の電力供給においては、その電池寿命が大きな課題である。以下、屋外使用が可能な電子機器の一例としてデジタルカメラを取り上げて説明する。
【０００３】
撮影レンズから入射された被写体像を撮像素子により光電変換し、この光電変換された画像信号をＡ／Ｄ変換して記録媒体に記録し、更に内蔵の液晶モニタで画像の表示が可能なデジタルカメラが一般的に知られている。
【０００４】
特に、撮影レンズが交換可能なデジタル一眼レフカメラでは、銀塩フィルムカメラと同様に良好な操作性及び高速連写性能を有しつつ、撮影した画像が高画質であること、撮影可能な被写体輝度範囲が広いことなどが要求される。このため、画素数が多く、且つ感度の高い撮像素子の採用が必須となっており、更には、銀塩フィルムカメラと比較すると、撮像回路、画像処理回路および画像表示回路など多くの電気部品を使用した大規模な電気回路が付加されている。従って、消費電力が大きくなり、十分なエネルギーを供給できる電池が要求されている。一方、カメラの小型・軽量化が進む中で、従来の一次電池や二次電池では、カメラの駆動に十分なエネルギーを供給することは困難となってきている。
【０００５】
このような問題の解決策として、小型の燃料電池が注目されている。燃料電池は、反応ガスである水素などの燃料ガスと空気に含まれる酸素などの酸化剤ガスを電気化学的に反応させることにより、燃料の持つ化学エネルギーを直接電気エネルギーに変換するものである。
【０００６】
次に、燃料電池の発電原理を説明する。燃料電池は、水素を含む燃料ガスを燃料極に供給し、酸素を含む酸化剤ガスを酸素極に供給して、両極で起こる電気化学反応によって起電力を得る。燃料極に供給された水素は、触媒によってプロトンと電子に分離される。分離した電子は、外部回路を通って酸素極に移動し、プロトンは固体高分子膜を通って酸素極に移動する。酸素極では、プロトン、電子および酸素が結合し、水と二酸化炭素が発生する。以下、燃料電池で起こる電気化学反応を示す。（１）式は燃料極における反応、（２）式は酸素極における反応を示し、（３）式は電池全体で起こる反応を表す。
【０００７】
Ｈ2  →  ２Ｈ＋＋２ｅ−                        ・・・（１）
（１／２）Ｏ2＋２Ｈ＋＋２ｅ−  →  Ｈ2Ｏ      ・・・（２）
Ｈ2＋（１／２）Ｏ2  →  Ｈ2Ｏ                  ・・・（３）
【０００８】
燃料電池は、電解質の違いなどにより様々なタイプの物に分類されるが、その一つとして、電解質に固体高分子膜を用いた燃料電池が知られている。固体高分子電解質型燃料電池は、低コスト化が可能で、小型化、軽量化も容易であり、電池性能の点でも高い出力密度を有することから、カメラのみならず、ノート型パソコンや携帯電話、ＰＤＡなどの携帯型電子機器の駆動電源として有望である。また、複数の発電セルとセパレータを交互に積層することにより構成するスタックセル型の燃料電池も提案されている。
【０００９】
図１１は、燃料電池を使用した際の出力電圧の変化を示す図であり、図１２は、パージを行いながら燃料電池を使用した際の出力電圧の変化を示す図である。長時間にわたって燃料電池により発電を行うと、出力電圧が低下している。それは、水素と酸素の反応によって生じた生成水が燃料極へ逆拡散して発電面積が減少する上、発電には不要なガスが燃料極に滞留して水素分圧が低下することが原因である。燃料電池は電子機器への電流供給源であるので、出力電圧が低下して電子機器の許容電圧範囲以下となることは好ましくない。
【００１０】
そこで一般的には、燃料極に供給される水素の流量を急増させて、燃料極に滞留している水分や発電に不要なガスをスタックセルの外部に放出し、発電面積の回復と水素分圧の上昇を図り、出力電圧を安定させる手法（パージ）が用いられている。パージを行った後は、図１２のように、燃料電池の出力電圧が上昇する。
【００１１】
燃料電池のパージを行う時期を判断する方法としては、いくつかの技術が公開されている。その一つとして、燃料電池を構成するスタックセルの全てのセルに関して電圧を検出し、そのうちのセルの一層での所定電圧以下になった場合にパージを行う方法がある（例えば、特許文献１参照）。また、ある一定時間が経過するごとに強制的にパージを行う方法（例えば、特許文献２参照）や、定期的なパージとセルごとの電圧測定による水素パージを併用する方法がある（例えば、特許文献３参照）。また、その他にも燃料電池が出力する電圧および電流をある一定時間、または一定のサンプリング数検出し、その測定値から内部抵抗を演算して予め求めておいた標準値と比較し、燃料電池の電解質の状態を推定して必要に応じてパージを行う方法（例えば、特許文献４参照）などが提案されている。
【００１２】
【特許文献１】特開２００２−９３４３８号公報
【特許文献２】特開２０００−２１５９０５号公報
【特許文献３】特開２００３−１１５３１４号公報
【特許文献４】特開２００２−１６４０６５号公報
【発明の開示】
【発明が解決しようとする課題】
【００１３】
しかしながら、発電面積の回復と水素分圧の上昇を図り、出力電圧を安定させるためにパージを行うにもかかわらず、パージ中は逆拡散による燃料極への空気混入や、燃料極内部の水素圧力および温度降下のため、燃料電池の出力電圧が瞬間的に下がってしまう。そして、上述したデジタルカメラ等の携帯型の電子機器においては、その電源システムの管理は厳しい精度が求められる。例えば、燃料電池がパージするタイミングと電子機器が比較的大きな電力を必要とするタイミングが重なってしまった場合、燃料電池から電子機器が必要としている電力量を引き出せずに、電子機器が電池切れ状態になってしまうという問題が生じる。
【００１４】
また、電子機器を長時間放置した場合、燃料電池の燃料極から微量ずつ燃料ガスが漏洩してしまい、燃料極側の水素濃度が低下してしまうので、次に燃料電池を起動させる際に、出力電圧が必要電圧まで上昇するまでに時間が掛かってしまうという問題点がある。
【００１５】
本発明は、上述した事情を考慮してなされたもので、燃料電池のパージを自身（電子機器）の状態に応じた最適なタイミングで行うことが可能な電子機器、その制御方法及びプログラムを提供することを目的とする。
更に、本発明は、好ましくは、電子機器を長時間放置した後に再起動させる場合でも、燃料電池の出力電圧をなるべく短時間で上昇させることが可能な電子機器、その制御方法及びプログラムを提供することを目的とする。
【課題を解決するための手段】
【００１６】
この発明は、上述した課題を解決すべくなされたもので、本発明による電気機器においては、燃料ガスと酸化ガスとを化学反応させて電力を出力する電力出力手段と、前記電力出力手段に対してパージするパージ手段と、前記パージ手段に対してパージの指示を行うパージ制御手段とを有する燃料電池を少なくとも一つの電源とする電子機器であって、前記電子機器の消費電力、動作状態もしくは被操作状態を監視する監視手段と、前記監視手段の出力に応じて、前記パージ制御手段に対してパージの指示を許可するか否かを判断し、当該判断結果を前記パージ制御手段へ出力するパージ許可手段とを有することを特徴とする。
【００１７】
本発明による電子機器の制御方法においては、燃料ガスと酸化ガスとを化学反応させて電力を出力する電力出力手段と、前記電力出力手段に対してパージするパージ手段と、前記パージ手段に対してパージの指示を行うパージ制御手段とを有する燃料電池を少なくとも一つの電源とする電子機器の制御方法であって、前記電子機器の消費電力、動作状態もしくは被操作状態を監視する監視ステップと、前記監視ステップの監視結果に応じて、前記パージ制御手段に対してパージの指示を許可するか否かを判断する判断ステップと、前記判断ステップでの判断結果を前記パージ制御手段へ出力する出力ステップとを有することを特徴とする。
【００１８】
本発明によるプログラムにおいては、燃料ガスと酸化ガスとを化学反応させて電力を出力する電力出力手段と、前記電力出力手段に対してパージするパージ手段と、前記パージ手段に対してパージの指示を行うパージ制御手段とを有する燃料電池を少なくとも一つの電源とする電子機器の制御方法をコンピュータに実行させるためのプログラムであって、前記電子機器の消費電力、動作状態もしくは被操作状態を監視する監視ステップと、前記監視ステップの監視結果に応じて、前記パージ制御手段に対してパージの指示を許可するか否かを判断する判断ステップと、前記判断ステップでの判断結果を前記パージ制御手段へ出力する出力ステップとをコンピュータに実行させる。
【００１９】
本発明による燃料電池においては、燃料ガスと酸化ガスとを化学反応させて電力を出力する電力出力手段と、前記電力出力手段に対してパージするパージ手段と、駆動する電子機器からの許可信号に応じて前記パージ手段に対してパージの指示を行うパージ制御手段とを有することを特徴とする。
【発明の効果】
【００２０】
本発明によれば、燃料電池のパージを自身（電子機器）の状態に応じた最適なタイミングで行うことができる。
【発明を実施するための最良の形態】
【００２１】
以下に、図面を参照して、本発明の好適な実施の形態について説明する。なお、本発明を適用した携帯用の電子機器として、以下の実施形態ではデジタル一眼レフカメラを例にして説明する。
【００２２】
図１は、本発明の一実施形態であるデジタル一眼レフカメラの内部構成を示すブロック図である。
【００２３】
図１に示すように、本実施形態のデジタル一眼レフカメラは、デジタル一眼レフカメラ本体を構成する電子カメラ本体１００と、複数の撮影レンズ３１０などから構成される撮影光学系を含む撮影レンズユニット３００と、記録媒体２００および２１０と、電源ユニット１１６と、燃料タンク（水素供給源装置）４００とから構成される。また、記録媒体２００および２１０や、電源ユニット１１６、燃料タンク４００は、デジタル一眼レフカメラに着脱可能な構成で装着されている。
【００２４】
撮影レンズユニット３００は、撮影レンズ３１０を駆動させる駆動部および撮影レンズ３１０を透過する光束の入射光量を調整する光量制限手段などを含む構成である。また、撮影レンズユニット３００は電子カメラ本体１００に対して着脱自在に配設されている。
【００２５】
また、電子カメラ本体１００は、以下のように構成されている。
１２は、撮像素子１４への露光量を制御するためのシャッタである。１４は、光学像を電気信号に変換する撮像素子であり、例えばＣＣＤセンサなどである。撮影レンズ３１０に入射した光線は、光量制限手段である絞り３１２、レンズマウント３０６および１０６、ミラー１２２、シャッタ１２を介して導かれ、光学像として撮像素子１４の撮像面上に結像する。
【００２６】
また、ミラー１２２及び１２４により、撮影レンズ３１０に入射した光線を光学ファインダ１１０に導く。なお、ミラー１２２はクイックリターンミラーの構成としても、ハーフミラーの構成としても、どちらでも構わない。
【００２７】
１６は、撮像素子１４からのアナログ信号出力をデジタル信号（以下、撮像データとする）に変換するＡ／Ｄ変換器である。１８は、撮像素子１４、Ａ／Ｄ変換器１６、Ｄ／Ａ変換器２６にクロック信号や制御信号を供給するタイミング発生回路であり、メモリ制御回路２２およびシステム制御回路５０により制御される。
【００２８】
２０は、画像処理回路であり、Ａ／Ｄ変換器１６からの撮像データあるいはメモリ制御回路２２からの撮像データに対して所定の画素補間処理や色変換処理を行う。また、画像処理回路２０においては、必要に応じて撮像データを用いて所定の演算処理を行い、得られた演算結果に基づいてシステム制御回路５０が測距ユニット４２、測光ユニット４４に対して制御を行うＴＴＬ（スルー・ザ・レンズ）方式のＡＦ（オートフォーカス）処理、ＡＥ（自動露出制御）処理、ＥＦ（ストロボ調光）処理を行う。さらに、画像処理回路２０においては、ホワイトバランス制御回路４６により得られた演算結果に基づいてＷＢ（ホワイトバランス）処理も行っている。
【００２９】
メモリ制御回路２２は、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６が出力する撮像データは、画像処理回路２０及びメモリ制御回路２２を介して、あるいはメモリ制御回路２２のみを介して画像表示メモリ２４あるいはメモリ３０に書き込まれる。
【００３０】
画像表示メモリ２４、Ｄ／Ａ変換器２６、例えばＴＦＴ・ＬＣＤなどである画像表示部２８は、画像表示の為の処理を行う。具体的には、画像表示メモリ２４に書き込まれた表示用の画像データが、Ｄ／Ａ変換器２６を介して画像表示部２８に出力されて表示される。画像表示部２８を用いて撮像素子１４で撮像した画像データを逐次表示すれば、電子ビューファインダ機能を実現することも可能である。また、画像表示部２８は、システム制御回路５０の指示により任意に表示をＯＮ／ＯＦＦ（オン／オフ）することが出来、表示をＯＦＦにした場合には電子カメラ本体１００の電力消費を大幅に低減することが可能である。
【００３１】
メモリ３０は、撮影した静止画像や動画像を格納するための記憶媒体であり、所定枚数の静止画像や所定時間の動画像を格納するのに十分な記憶容量を備えている。これにより、複数枚の静止画像を連続して撮影する連写撮影やパノラマ撮影の場合にも、高速かつ大量の画像書き込みをメモリ３０に対して行うことが可能となる。また、メモリ３０はシステム制御回路５０の作業領域としても使用することが可能である。
【００３２】
３２は適応離散コサイン変換（ＡＤＣＴ）などにより画像データを圧縮伸長する圧縮・伸長回路であり、メモリ３０に格納された画像データを読み込んで圧縮処理あるいは伸長処理を行い、処理を終えた画像データをメモリ３０に書き込む。
【００３３】
４０は、測光ユニット４４からの測光情報に基づいて、絞り３１２を制御する絞り制御回路３４０と連携しながらシャッタ１２を制御するシャッタ制御回路である。４２は、ＡＦ（オートフォーカス）処理を行うための測距ユニットであり、レンズ３１０に入射した光線を絞り３１２、レンズマウント３０６および１０６、ミラー１２２そして測距用サブミラー（図示せず）を介して測距ユニット４２に入射させることにより、光学像として結像された画像の合焦状態を測定することが出来る。
【００３４】
測光ユニット４４は、ＡＥ（自動露出）処理を行うための測光装置である。撮影レンズ３１０に入射した光線を絞り３１２、レンズマウント３０６および１０６、ミラー１２２そして測光用レンズ（図示せず）を介して測光ユニット４４に入射させることにより、光学像として結像された画像の露出状態を測定することが出来る。
【００３５】
４５は、ホワイトバランス算出回路であり、ＴＴＬ方式により撮像した画像データを用いて色温度を算出する。ホワイトバランス制御回路４６は、撮影者の光源選択や色温度入力に応じて予め設定されたホワイトバランス調整のゲインなどによって画像処理回路２０がホワイトバランスの処理をするのに必要なホワイトバランス補正データを算出する。
【００３６】
４８は、ストロボであり、ＡＦ補助光の投光機能、ストロボ調光機能も有する。なお、撮像素子１４によって撮像した画像データを画像処理回路２０によって演算した演算結果に基づき、システム制御回路５０がシャッタ制御回路４０、絞り制御回路３４０、測距制御回路３４２に対して制御を行う、ビデオＴＴＬ方式を用いて露出制御およびＡＦ（オートフォーカス）制御をすることも可能である。さらに、測距ユニット４２による測定結果と、撮像素子１４によって撮像した画像データを画像処理回路２０によって演算した演算結果とを共に用いてＡＦ（オートフォーカス）制御を行っても構わない。そして、測光ユニット４４による測定結果と、撮像素子１４によって撮像した画像データを画像処理回路２０によって演算した演算結果とを共に用いて露出制御を行っても構わない。
【００３７】
５０は、電子カメラ本体１００全体を制御するシステム制御回路であり、５２はシステム制御回路５０の動作用の定数、変数、プログラムなどを記憶するメモリである。
【００３８】
５４は、システム制御回路５０でのプログラムの実行に応じて、文字、画像、音声などを用いて動作状態やメッセージを表示する例えば液晶ディスプレイなどの表示機能及び、動作音や警告音などを発音する例えばスピーカーなどの発音機能を備える表示部である。上記表示部５４は、電子カメラ本体１００の操作部近辺の視認しやすい位置に１個もしくは複数個設置され、例えばＬＣＤやＬＥＤ、発音素子などの組み合わせにより構成されている。
【００３９】
ここで、デジタル一眼レフカメラの操作手段の具体的な説明を行う。表示部５４の表示内容のうち、ＬＣＤなどに表示するものとしては、シングルショット／連写撮影表示、セルフタイマー表示、圧縮率表示、記録画素数表示、記録枚数表示、残撮影可能枚数表示、シャッタスピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００および２１０の着脱状態表示、撮影レンズユニット３００の着脱状態表示、通信Ｉ／Ｆ動作表示、日付・時刻表示、外部コンピュータとの接続状態を示す表示などがある。
【００４０】
また、表示部５４の表示内容のうち、光学ファインダ１１０内に表示するものとしては、合焦表示、撮影準備完了表示、手ブレ警告表示、フラッシュ充電表示、フラッシュ充電完了表示、シャッタスピード表示、絞り値表示、露出補正表示、記録媒体書き込み動作表示などがある。さらに、表示部５４の表示内容のうちＬＥＤなどに表示するものとしては、合焦表示、撮影準備完了表示、手ブレ警告表示、フラッシュ充電表示、フラッシュ充電完了表示、記録媒体書き込み動作表示、マクロ撮影設定通知表示、二次電池充電状態表示などがある。そして、表示部５４の表示内容のうちランプなどに表示するものとしては、セルフタイマー通知ランプなどがある。このセルフタイマー通知ランプはＡＦ補助光と共用して用いても良い。
【００４１】
５５は、パージ警告部で、燃料電池８０の出力電圧が降下し、パージが必要であると判断された場合、使用者にパージ作動スイッチ７８を操作するように警告を出す。詳細については後述する。ここで、パージとは、燃料電池の燃料極に供給される水素の流量を急増させて、燃料極に滞留している水分や発電に不要なガスをスタックセルの外部に放出し、発電面積の回復と水素分圧の上昇を図り、出力電圧を安定させる手法である。
【００４２】
５６は、電気的に消去・記録可能な不揮発性メモリであり、必要に応じてメモリ５２の内容を記録するものであって、例えばＥＥＰＲＯＭなどが用いられる。また、モードダイヤル６０、レリーズスイッチＳＷ１・６２、レリーズスイッチＳＷ２・６４、およびホワイトバランス選択スイッチ６６は、システム制御回路５０の各種の動作指示を入力するための操作手段であり、その形態は、スイッチやダイヤル、タッチパネル、視線検知によるポインティング、音声認識装置などの単数あるいは複数の組み合わせで構成される。
【００４３】
ここで、これらの操作手段の具体的な説明を行う。モードダイヤル６０は、自動撮影モード、プログラム撮影モード、シャッタ速度優先撮影モード、絞り優先撮影モード、マニュアル撮影モード、焦点深度優先（デプス）撮影モード、ポートレート撮影モード、風景撮影モード、接写撮影モード、スポーツ撮影モード、夜景撮影モード、パノラマ撮影モードなどの各機能撮影モードを切り替え設定することが出来る回転式スイッチである。
【００４４】
レリーズスイッチＳＷ１・６２は、レリーズボタン（図示せず）の操作途中でＯＮ（オン）となり、ＡＦ（オートフォーカス）処理、ＡＥ（自動露出）処理、ＷＢ（ホワイトバランス）処理、ＥＦ（ストロボ調光）処理などの動作開始を指示する。レリーズスイッチＳＷ２・６４は、レリーズボタン（図示せず）の操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００あるいは２１０に画像データを書き込む記録処理という一連の処理の動作開始を指示する。
【００４５】
７０は、各種ボタンやタッチパネルなどからなる操作部で、例えばメニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、撮影画質選択ボタン、露出補正ボタン、日付／時間設定ボタン、選択／切り替えボタン、決定／実行ボタン、画像表示ＯＮ／ＯＦＦスイッチ、クイックレビューＯＮ／ＯＦＦスイッチ、圧縮モードスイッチ、再生スイッチ、ＡＦモード設定スイッチ、及びホワイトバランス選択スイッチなどから構成される。
【００４６】
選択／切り替えボタンは、パノラマモードなどの撮影および再生を実行する際に各種機能の選択および切り替えを設定するボタンである。決定／実行ボタンは、パノラマモードなどの撮影および再生を実行する際に各種機能の決定および実行を設定するボタンである。画像表示ＯＮ／ＯＦＦスイッチは、画像表示部２８のＯＮ／ＯＦＦを設定するスイッチである。クイックレビューＯＮ／ＯＦＦスイッチは、撮影直後に撮影した画像データを自動再生するクイックレビュー機能を設定するスイッチである。圧縮モードスイッチは、ＪＰＥＧ圧縮の圧縮率を選択するため、あるいは撮像素子の出力する撮像信号をそのままデジタル化して記録媒体に記録するＣＣＤ・ＲＡＷモードを選択するためのスイッチである。
【００４７】
再生スイッチは、再生モード、撮影状態不良画像再生モード、ＰＣ接続モードなどの各機能モードを設定することが出来るスイッチである。ＡＦモード設定スイッチは、レリーズスイッチＳＷ１・６２を押したならばオートフォーカス動作を開始し一旦、合焦したならばその合焦状態を保ち続けるワンショットＡＦモードとレリーズスイッチＳＷ１・６２を押している間は連続してオートフォーカス動作を続けるサーボＡＦモードとを設定することが出来るスイッチである。
【００４８】
ホワイトバランス選択スイッチは、撮像素子１４の出力信号から外光の色を算出し、その色温度データを用いるＴＴＬ方式によってホワイトバランスの調整を行うオートホワイトバランスと、撮影環境の光源の種類（例えば太陽光、電球、蛍光灯など）を撮影者が判断し、光源選択ボタン（図示せず）により光源の種類を選択し、または撮影者が撮影環境の色合い（色温度）を測定し、色温度入力ボタンにより電子カメラに撮影環境の色温度を入力し、この光源の選択や色温度の入力に応じて赤信号回路の利得と青信号回路の利得とが、予め設定されている光源および色温度固有の固定ゲインに設定されるマニュアルホワイトバランスとを選択するためのスイッチである。
【００４９】
また、上記プラスボタンおよびマイナスボタンの各機能は、回転ダイアルスイッチを備えることによって、より軽快に数値や機能を選択することが可能となる。
【００５０】
７２は、電源スイッチであり、電子カメラ本体１００の電源オン、電源オフの各モードを切り替え設定することが出来る。また、電子カメラ本体１００に接続された撮影レンズユニット３００、外部ストロボ（図示せず）、記録媒体２００、２１０などの各種付属装置の電源オン、電源オフの設定も合わせて切り替え設定することが出来る。７４は、燃料タンク４００がコネクタ９３に装着されているか否かを検知する燃料タンク着脱検知部である。
【００５１】
７６は、電子カメラ本体１００の駆動電力を検出する駆動電力検出回路である。７８は、パージ作動スイッチであり、ＯＮされた場合、システム制御回路５０は、燃料電池８０に対してパージを行うよう制御する。なお、燃料電池８０の詳細な構成については後述する。
【００５２】
燃料電池８０は、電子カメラ本体１００の電力を供給する燃料電池である。９３及び４１２は、電子カメラ本体１００と、燃料電池８０の燃料ガス（水素）を格納している燃料タンク４００を接続するコネクタである。９４は、燃料電池８０の酸素極（図示せず）に空気を送り込むための吸気口である。
９６は、燃料電池８０においてパージを行った際に水素および不純物や燃料電池８０において使用した空気を電子カメラ本体１００から外部へ排気するための排気口である。９７は、電源切替部であり、システム制御回路５０の制御に基づいて、電子カメラ本体１００の電源を燃料電池８０から電源ユニット１１６へ、もしくは電源ユニット１１６から燃料電池８０へと切り替える。
【００５３】
９８は、電源制御回路であり、電池検出回路、ＤＣ−ＤＣコンバータ、通電するブロックを切り替えるスイッチ回路などにより構成されており、電池の種類、電池残量の検出を行い、検出結果およびシステム制御回路５０の指示に基づいてＤＣ−ＤＣコンバータを制御し、必要な電圧を必要な期間、記録媒体を含む各部へ供給する。１１２および１１４は、電子カメラ本体１００と電源ユニット１１６を接続するコネクタである。電源ユニット１１６は、アルカリ電池やリチウム電池などの一次電池やＮｉＣｄ電池やＮｉＭＨ電池、Ｌｉ電池などの二次電池、ＡＣアダプタなどからなる電源ユニットである。
【００５４】
９１および９５は、メモリカードやハードディスクなどの記録媒体とのインタフェースである。９２および９９は、メモリカードやハードディスクなどの記録媒体と接続を行うコネクタである。１１８は、コネクタ９２および９９に記録媒体２００あるいは２１０が装着されているか否かを検知する記録媒体着脱検知部である。なお、本実施形態では記録媒体を取り付けるインタフェースおよびコネクタを２系統持つものとして説明している。もちろん、記録媒体を取り付けるインタフェースおよびコネクタは、１つもしくは複数、いずれの系統数を備える構成としても構わない。また、異なる規格のインタフェースおよびコネクタを組み合わせて備える構成としても構わない。
【００５５】
インタフェースおよびコネクタの規格としては、ＰＣＭＣＩＡカードやＣＦ（コンパクトフラッシュ（登録商標））カードなどの規格に準拠したものを用いて構成して構わない。さらに、インタフェース９１および９５、そしてコネクタ９２および９９をＰＣＭＣＩＡカードやＣＦ（コンパクトフラッシュ（登録商標））カードなどの規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳの通信カードなど、各種通信カードを接続することにより、他のコンピュータやプリンタなどの周辺機器との間で画像データや画像データに付属した管理情報を転送し合うことが出来る。
【００５６】
１３６は、通信部であり、ＲＳ２３２ＣやＵＳＢ、ＩＥＥＥ１３９４、Ｐ１２８４、ＳＣＳＩ、モデム、ＬＡＮ、無線通信などの各種通信機能を有する。１３８は、通信部１３６により電子カメラ本体１００を他の機器と接続するコネクタあるいは無線通信の場合はアンテナである。
【００５７】
１４０は、レンズマウント１０６内において、電子カメラ本体１００を撮影レンズユニット３００と接続するためのインタフェースである。１４２は、電子カメラ本体１００を撮影レンズユニット３００と電気的に接続するコネクタである。１４４は、レンズマウント１０６および／又はコネクタ１４２に撮影レンズユニット３００が装着されているか否かを検知するレンズ着脱検知部である。
【００５８】
コネクタ１４２は、電子カメラ本体１００と撮影レンズユニット３００との間で制御信号、状態信号、データ信号などを伝え合うと共に、各種電圧の電流を供給する機能も備えている。また、コネクタ１４２は電気通信のみならず、光通信、音声通信などを伝達する構成としても良い。
【００５９】
２００は、メモリカードやハードディスクなどの記録媒体である。記録媒体２００は、半導体メモリや磁気ディスクなどから構成される記録領域２０２、電子カメラ本体１００とのインタフェース２０４、電子カメラ本体１００と接続を行うコネクタ２０６を備えている。
【００６０】
２１０は、メモリカードやハードディスクなどの記録媒体である。記録媒体２１０は、半導体メモリや磁気ディスクなどから構成される記録領域２１２、電子カメラ本体１００とのインタフェース２１４、電子カメラ本体１００と接続を行うコネクタ２１６を備えている。
【００６１】
ここで、上述した撮影レンズユニット３００について更に詳細に説明する。撮影レンズユニット３００は、上述したように交換レンズタイプの撮影レンズユニットである。
【００６２】
３０６は、撮影レンズユニット３００を電子カメラ本体１００と機械的に結合するレンズマウントである。レンズマウント３０６内には、撮影レンズユニット３００を電子カメラ本体１００と電気的に接続する各種機能が含まれている。
【００６３】
３２０は、レンズマウント３０６内において、撮影レンズユニット３００を電子カメラ本体１００と接続するためのインタフェースである。３２２は、撮影レンズユニット３００を電子カメラ本体１００と電気的に接続するコネクタである。コネクタ３２２は、電子カメラ本体１００とレンズユニット３００との間で制御信号、状態信号、データ信号などを伝え合うと共に、各種電圧の電流を供給されるあるいは供給する機能も備えている。また、コネクタ３２２は電気通信のみならず、光通信、音声通信などを伝達する構成としても良い。
【００６４】
絞り制御回路３４０は、測光ユニット４４からの測光情報に基づいて、シャッタ１２を制御するシャッタ制御回路４０と連携しながら、絞り３１２を制御する。測距制御回路３４２は、撮影レンズ３１０のフォーカシングを制御する。ズーム制御回路３４４は、撮影レンズ３１０のズーミングを制御する。レンズシステム制御回路３４６は、撮影レンズユニット３００全体を制御する。レンズシステム制御回路３４６は、動作用の定数、変数、プログラムなどを記憶するメモリや撮影レンズユニット３００固有の番号などの識別情報、管理情報、開放絞り値や最小絞り値、焦点距離などの機能情報、現在や過去の各設定値などを保持する不揮発メモリの機能も備えている。
【００６５】
次に、燃料タンク４００の詳細について説明する。燃料タンク４００は、水素吸蔵合金４１０およびコネクタ４１２から構成されている。水素吸蔵合金４１０は、燃料電池８０を駆動させるに必要な燃料ガス（水素）を吸蔵している水素吸蔵合金である。コネクタ４１２は、燃料タンク４００と電子カメラ本体１００を接続するためのコネクタである。水素吸蔵合金４１０は、燃料電池８０内での水素圧力が常に一定となるように調整し、コネクタ９３および４１２を介して燃料電池８０へ燃料ガス（水素）を送る。
【００６６】
続いて、図１に示した電子カメラ本体１００に搭載されている燃料電池８０の構成を説明する。図２は、図１に示したデジタル一眼レフカメラに搭載の燃料電池８０の内部構成例を示すブロック図である。なお、図２において、図１と同じ符号のものは、同様の機能を有するものである。
【００６７】
図２において、８１は、複数のセルから構成される燃料電池スタックである。８２はコンプレッサーで、吸気口９４から吸気された空気を圧縮し、燃料電池スタック８１の酸素極（図示せず）に送る。８３は、パージ手段としてのパージ弁であり、循環している水素を、排気口９６を介して電子カメラ本体１００の外部へ排気すると共に、燃料電池スタック８１内に蓄積した水や不純物を排気することでパージを行う。
【００６８】
８４は、イジェクターであり、燃料電池スタック８１から排出された燃料ガス（水素）を循環させる。８５は、酸化剤ガス（空気）の圧力を計測するセンサである。また、８６は、燃料ガス（水素）の圧力を計測するセンサである。８７は、酸化剤ガスの流量を計測するセンサである。また、８８は、燃料ガス（水素）の流量を計測するセンサである。
【００６９】
８９は、燃料電池スタック８１のセル電圧を計測するセル電圧検出回路である。セル電圧検出回路８９は図２では便宜上１つしか描かれていないが、燃料電池スタック８１の中にあるすべての単セル毎に、あるいは複数のセルからなるセル群毎に備えられている。また、燃料電池の出力を測定する際には、このようにセル電圧を検出することが望ましいが、電子機器側で出力電圧を測定するように電圧検出回路を設けるように構成してもよい。
【００７０】
９０は、燃料電池システム制御回路であり、目標発電量になるように、燃料ガス（水素）の圧力と流量、酸化剤ガス（空気）の圧力と流量を入力として、コンプレッサー８２などを制御する。また、セル電圧検出回路８９の出力結果を電子カメラ本体１００内のシステム制御回路５０に送ると共に、システム制御回路５０からパージ命令を受け取った際は、パージ制御手段としてパージ弁８３を駆動させてパージを行う。
【００７１】
次に、図１及び図２に示したデジタル一眼レフカメラにおける燃料電池８０の制御動作について説明する。
図３は、図１及び図２に示したデジタル一眼レフカメラにおける燃料電池８０の制御動作を示すフローチャートである。図３に示すように、まず、燃料電池８０を電力供給手段として電子カメラ本体１００を駆動させている際、燃料電池システム制御回路９０は、セル電圧検出回路８９によって燃料電池スタック８１のセル電圧を測定し、セル電圧が、パージが必要とされる第１の所定値よりも降下しているか否かを判別する（ステップＳ１０１）。
【００７２】
ここで、セル電圧が第１の所定値よりも大きいと判別した場合（ステップＳ１０１のＮＯ）には、燃料電池システム制御回路９０は、再度ステップＳ１０１に戻りセル電圧検出回路８９によって燃料電池スタック８１のセル電圧を測定し、セル電圧が第１の所定値よりも降下するまでステップＳ１０１を繰り返す。
【００７３】
セル電圧が第１の所定値よりも降下していると判別した場合（ステップＳ１０１のＹＥＳ）、燃料電池システム制御回路９０は、セル電圧が第１の所定値よりも降下し、パージが必要となったことをシステム制御回路５０へ出力する（ステップＳ１０２）。これにより、システム制御回路５０は、駆動電力検出回路７６の検出結果に基づいて、電子カメラ本体１００の駆動電力が所定値以下であるか否かを判別する（ステップＳ１０３）。この所定値は、パージによる電圧降下が起こっても電子カメラ本体１００の動作に影響を与えないレベルが設定されている。
【００７４】
ここで、ステップＳ１０３における所定値について、図４を用いて説明する。図４は、デジタル一眼レフカメラの駆動シーケンスにおける消費電力量例を示す図である。図４に示すように、デジタル一眼レフカメラの電源スイッチ７２がＯＮされている場合、常時カメラ回路による電力消費が６．０〜７．０［ｗ］程度ある。その上カメラの駆動シーケンスのタイミングによっては、シャッタ１２やミラー１２２および１２４などを駆動させるためのモータ（図示せず）により１．５［ｗ］程度、絞り３１２を駆動させるために４．０［ｗ］程度が電力消費される。
【００７５】
例えば、モータ（図示せず）と絞り３１２が同時に駆動している時など比較的電力消費が大きい（図４では約１２．０［ｗ］弱）時に、パージをした場合、瞬間的な電圧降下によって必要な電力が得られずに、デジタル一眼レフカメラの駆動に影響を与える可能性がある。それを防止するためには、電力消費がカメラ回路によるものだけの時にパージを行えば良く、図３のステップＳ１０３では、デジタル一眼レフカメラにおいて比較的電力消費が小さい時であるか否かを判定している。図４の例では、図３のステップＳ１０３での所定値は図４の点線に示す７．０［ｗ］程度が最適であると考えられる。
【００７６】
駆動電力検出回路７６の検出結果が所定値以下であると判別した場合（ステップＳ１０３のＹＥＳ）には、システム制御回路５０は、燃料電池システム制御回路９０にパージ開始の信号を出力する。これにより、燃料電池システム制御回路９０がパージ弁８３を駆動させてパージを行い、燃料電池スタック内の余剰水分や不純物を排気口９６から電子カメラ本体１００の外部へ排気する（ステップＳ１０４）。
【００７７】
また、駆動電力検出回路７６の検出結果が所定値以上であると判別した場合（ステップＳ１０３のＮＯ）には、システム制御回路５０は、燃料電池システム制御回路９０にパージ待機の信号を出力する。これにより、燃料電池システム制御回路９０は、セル電圧検出回路８９によって燃料電池スタック８１のセル電圧を再度測定し、セル電圧が第２の所定値よりも降下しているか否かを判別する（ステップＳ１０５）。第２の所定値とは、第１の所定値よりも小さい値であり、電子カメラ本体１００の禁止電圧（デジタル一眼レフカメラが正常動作不能となる電圧）により近い値が設定されている。
【００７８】
ここで、セル電圧が第２の所定値よりも大きいと判別した場合（ステップＳ１０５のＮＯ）には、燃料電池システム制御回路９０がシステム制御回路５０へ判別結果を出力することで、ステップＳ１０３へ戻り、システム制御回路５０は、駆動電力検出回路７６によって電子カメラ本体１００の駆動電力を再度測定する。すなわち、駆動電力検出回路７６の検出結果が所定値以上であり、かつ、セル電圧が第２の所定値よりも大きい場合には、ステップＳ１０３及びステップＳ１０５の処理でループする。
【００７９】
また、セル電圧が第２の所定値よりも降下していると判別した場合（ステップＳ１０５のＹＥＳ）、燃料電池システム制御回路９０がシステム制御回路５０へ判別結果を出力することで、ステップＳ１０６へ進み、システム制御回路５０は、電源切替部９７を制御して電子カメラ本体１００の電源を燃料電池８０から電源ユニット１１６に切り替える。
【００８０】
続いて、システム制御回路５０は、燃料電池システム制御回路９０にパージ開始の信号を出力する。これにより、燃料電池システム制御回路９０がパージ弁８３を駆動させてパージを行い、燃料電池スタック内の余剰水分や不純物を排気口９６から電子カメラ本体１００の外部へ排気する。パージ中は、燃料電池スタック内の水素圧力が所定値に保たれるように、燃料タンク４００内の水素吸蔵合金４１０から常時水素が排出され、コネクタ９３および４１２を介して燃料電池８０に送られる（ステップＳ１０７）。
【００８１】
パージ終了後、システム制御回路５０は、電源切替部９７を制御して電子カメラ本体１００の電源を電源ユニット１１６から燃料電池８０に切り替える（ステップＳ１０８）。以上で、一連の燃料電池８０の制御動作を終えるが、図３の処理はデジタル一眼レフカメラが燃料電池８０を電源とする間は、繰り返し行われる。
【００８２】
以上説明したように、本実施形態に係るデジタル一眼レフカメラでは、デジタル一眼レフカメラのシーケンス内において、必要とする電力量が少ない時にパージを行うよう制御できるので、パージ中の電圧降下によるデジタル一眼レフカメラの電池切れを防止することができる。これにより、デジタル一眼レフカメラの動作に影響を与えずにパージを繰り返して燃料電池８０による駆動を継続することが可能である。
【００８３】
また、デジタル一眼レフカメラのシーケンス内において、必要とする電力量が大きく、パージを行うとデジタル一眼レフカメラの駆動に影響を与えるような状態で、かつ、すぐにパージが必要な場合には、燃料電池８０以外の電源ユニット１１６に一時的に切り替えて、その間にパージを終わらせるように制御できる。これにより、パージ中の電圧降下によるデジタル一眼レフカメラの電池切れを防止し、デジタル一眼レフカメラの動作に影響を与えずに燃料電池８０をパージでき、デジタル一眼レフカメラは、燃料電池８０を主の電源として駆動を継続することが可能である。
【００８４】
次に、本実施形態におけるデジタル一眼レフカメラの様々な使用状態（使用状態１〜６）における燃料電池８０の制御動作例について図面を用いて説明する。
【００８５】
［使用状態１］
使用状態１は、デジタル一眼レフカメラを長時間放置し、燃料電池８０を駆動していなかったことにより燃料電池８０内の燃料極の燃料ガスが減少してしまった状態で、デジタル一眼レフカメラの電源スイッチ７２をオンするという使用状態である。図５は、使用状態１でのデジタル一眼レフカメラにおける燃料電池８０の制御動作例を示すフローチャートである。
【００８６】
図５に示すように、まず、システム制御回路５０は、電子カメラ本体１００の電源スイッチ７２がＯＮされたか否かを判別する（ステップＳ２０１）。ここで、電源スイッチ７２がＯＦＦだと判別された場合（ステップＳ２０１のＮＯ）には、システム制御回路５０は、電源スイッチ７２がＯＮされるまでステップＳ２０１における判別処理を繰り返す。
【００８７】
なお、電源スイッチ７２がＯＦＦの状態であるときには、デジタル一眼レフカメラに電力が供給されていないので、判別処理は行わないこととなる。電源スイッチ７２がＯＦＦの状態からＯＮの状態にされたときに、システム制御回路５０は電力の供給を受けて、電源スイッチの状態を判別することになる。ただし、電源の制御によっては、サスペンド（スリープ）状態など、省電力モードを実行する場合があり、この場合は電源スイッチ７２の状態としてはＯＦＦの状態として判別されるが、このような省電力モードにおいては、判別処理（ステップＳ２０１）を所定時間ごとに行うことが可能である。このような省電力モードの場合には、所定の操作、例えば撮影指示により、ＯＮ状態となるので、このときに電源スイッチ７２がＯＮ状態になったものと判別するようにしてもよい。
電源スイッチ７２がＯＮされたと判別した場合（ステップＳ２０１のＹＥＳ）には、システム制御回路５０は、燃料電池８０の駆動を開始する（ステップＳ２０２）。
【００８８】
ステップＳ２０２において、燃料電池８０の駆動が開始されると、システム制御回路５０は、燃料電池システム制御回路９０にパージ開始の信号を出力する。これにより、燃料電池システム制御回路９０は、パージ弁８３を駆動させてパージを行い、燃料電池スタック８１内の余剰水分や不純物を排気口９６から電子カメラ本体１００の外部へ排気する。パージ中は、燃料電池スタック８１内の水素圧力が所定値に保たれるように、燃料タンク４００内の水素吸蔵合金４１０から常時水素が排出され、コネクタ９３および４１２を介して燃料電池８０に送られる（ステップＳ２０３）。それと同時に、システム制御回路５０は、燃料電池８０からの電子カメラ本体１００への電力供給を開始させ、カメラを起動させる（ステップＳ２０４）。
【００８９】
なお、ステップＳ２０２において、システム制御回路５０が燃料電池システム制御回路９０にパージ開始信号を出力するか否かを、図３のステップＳ１０１およびステップＳ１０２で説明したように、セル電圧検出回路８９によって燃料スタック８１のセル電圧を測定し、その結果に基づいて、パージが必要であることを燃料電池システム制御回路９０がシステム制御回路に出力したか否かにより決定してもよい。
【００９０】
以上説明したように、本実施形態のデジタル一眼レフカメラは、長時間放置して燃料電池８０を駆動していなかったことにより燃料電池８０内の燃料極の燃料ガスが減少してしまった場合であっても、デジタル一眼レフカメラの電源スイッチ７２がオンとなった時にパージを行うことにより燃料電池８０の燃料極に燃料ガスが充填されるので、出力電圧の立ち上がりを良好なものにすることが可能である。また、パージが必要なときのみにパージを行うようにすれば、電源スイッチのＯＮ／ＯＦＦが短時間で繰り返されるような場合において、無駄にパージを行わなくてもよくなる。
【００９１】
［使用状態２］
使用状態２は、デジタル一眼レフカメラに燃料タンク４００（燃料ガス供給手段）が装着されていなかったことにより燃料電池８０内の燃料極の燃料ガスが減少してしまった状態で、燃料タンク４００が装着されるという使用状態である。図６は、使用状態２でのデジタル一眼レフカメラにおける燃料電池８０の制御動作例を示すフローチャートである。
【００９２】
図６に示すように、電子カメラ本体１００に燃料タンク４００が装着されていない場合においても、システム制御回路５０は電源ユニット１１６による電力供給などにより動作して、燃料タンク着脱検知部７４を制御し、コネクタ９３に燃料タンク４００が装着されたか否かを判別する（ステップＳ３０１）。
【００９３】
コネクタ９３に燃料タンク４００が装着されていなかった場合（ステップＳ３０１のＮＯ）には、燃料タンク着脱検知部７４は、コネクタ９３に燃料タンク４００が装着されるまで判別を繰り返す。
【００９４】
また、コネクタ９３に燃料タンク４００が装着されたと判別した場合（ステップＳ３０１のＹＥＳ）には、燃料タンク着脱検知部７４は、システム制御回路５０に燃料タンク４００が装着されたという信号を出力する。これにより、システム制御回路５０は、電源切替部９７に対し、電源を電源ユニット１１６から燃料電池８０に切替えるように指示する（ステップＳ３０２）。
【００９５】
続いてシステム制御回路５０は、燃料電池システム制御回路９０にパージ開始の信号を出力する。これにより、燃料電池システム制御回路９０は、パージ弁８３を駆動させてパージを行い、燃料電池スタック８１内の余剰水分や不純物を排気口９６から電子カメラ本体１００の外部へ排気する。パージ中は、燃料電池スタック８１内の水素圧力が所定値に保たれるように、燃料タンク４００内の水素吸蔵合金４１０から常時水素が排出され、コネクタ９３および４１２を介して燃料電池８０に送られる（ステップＳ３０３）。
【００９６】
なお、図６では電源の切替えをステップＳ３０２の段階で行うようにしたが、パージを行って（ステップＳ３０３）、燃料電池８０の出力が安定してから切替えるようにしてもよい。また、ステップＳ３０３において、システム制御回路５０が燃料電池システム制御回路９０にパージ開始信号を出力するか否かを、図３のステップＳ１０１およびステップＳ１０２で説明したように、セル電圧検出回路８９によって燃料スタック８１のセル電圧を測定し、その結果に基づいて、パージが必要であることを燃料電池システム制御回路９０がシステム制御回路に出力したか否かにより決定してもよい。
【００９７】
以上説明したように、本実施形態におけるデジタル一眼レフカメラは、デジタル一眼レフカメラに燃料タンク４００が装着されていなかったことにより燃料電池８０内の燃料極の燃料ガスが減少してしまった場合であっても、燃料タンク４００が装着された際にパージを行うことにより燃料極に燃料ガスが充填されるので、燃料電池８０の出力電圧の立ち上がりを良好なものにすることが可能である。また、パージが必要なときのみにパージを行うようにすれば、即座に燃料タンク４００が交換されるような場合において、無駄にパージを行わなくても済むことになる。
【００９８】
［使用状態３］
使用状態３は、デジタル一眼レフカメラを長時間放置し、燃料電池８０を駆動していなかったことにより燃料電池８０内の燃料極の燃料ガスが減少してしまった状態で、オートパワーオフになるという使用状態である。図７は、使用状態３でのデジタル一眼レフカメラにおける燃料電池８０の制御動作例を示すフローチャートである。
【００９９】
図７に示すように、システム制御回路５０は、電源スイッチ７２がＯＮされたか否かを判別する（ステップＳ４０１）。ここで、電源スイッチ７２がＯＮされた場合（ステップＳ４０１のＹＥＳ）には、システム制御回路５０は、燃料電池８０の駆動を開始し、デジタル一眼レフカメラを起動する（ステップＳ４０２）。また、電源スイッチ７２がＯＦＦの状態であった場合（ステップＳ４０１のＮＯ）には、システム制御回路５０は、電源スイッチ７２がＯＮされるまで判別を繰り返す。
【０１００】
なお、電源スイッチ７２がＯＦＦの状態であるときには、デジタル一眼レフカメラに電力が供給されていないので、判別処理は行わないこととなる。電源スイッチ７２がＯＦＦの状態からＯＮの状態にされたときに、システム制御回路５０は電力の供給を受けて、電源スイッチの状態を判別することになる。ただし、電源の制御によっては、サスペンド（スリープ）状態など、省電力モードを実行する場合があり、この場合は電源スイッチ７２の状態としてはＯＦＦの状態として判別されるが、このような省電力モードにおいては、判別処理（ステップＳ２０１）を所定時間ごとに行うことが可能である。このような省電力モードの場合には、所定の操作、例えば撮影指示により、ＯＮ状態となるので、このときに電源スイッチ７２がＯＮ状態になったものと判別するようにしてもよい。
【０１０１】
次に、デジタル一眼レフカメラを起動後、システム制御回路５０は、タイミング発生回路１８を制御して操作部７０などの各種操作スイッチが最後に操作されてから現在までの時間を計測し、デジタル一眼レフカメラの無操作状態（以下、カメラ無操作状態とする）が所定時間に達したか否かを判別する（ステップＳ４０３）。
【０１０２】
ステップＳ４０３において、カメラ無操作状態が所定時間に達していないと判別した場合（ステップＳ４０３のＮＯ）には、システム制御回路５０は、カメラ無操作状態が所定時間以上と判別されるまで、操作部７０などの各種操作スイッチが最後に操作されてから現在までの時間を繰り返し計測する。なお、本実施形態のデジタル一眼レフカメラには、カメラ無操作状態が所定時間以上経過すると電子カメラ本体１００への電力供給を停止するオートパワーオフ機能を有する。
【０１０３】
ステップＳ４０３において、カメラ無操作状態が所定時間に達したと判別した場合（ステップＳ４０３のＹＥＳ）には、システム制御回路５０は、燃料電池システム制御回路９０にパージ開始の信号を出力する。これにより、燃料電池システム制御回路９０は、パージ弁８３を駆動させてパージを行い、燃料電池スタック内の余剰水分や不純物を排気口９６から電子カメラ本体１００の外部へ排気する。パージ中は、燃料電池スタック８１内の水素圧力が所定値に保たれるように、燃料タンク４００内の水素吸蔵合金４１０から常時水素が排出され、コネクタ９３および４１２を介して燃料電池８０に送られる（ステップＳ４０４）。パージが終了すると、システム制御回路５０は、燃料電池８０の駆動を停止し、電子カメラ本体１００の電力供給を停止する（ステップＳ４０５）。
【０１０４】
なお、デジタル一眼レフカメラが省電力モードを有する場合に、上記の所定時間の経過時には省電力モード状態になっていることがあり、このときには、パージは省電力モードの状態で行われることになる。また、ステップＳ４０３のＹＥＳと判断される場合において、システム制御回路５０が燃料電池システム制御回路９０にパージ開始信号を出力するか否かを、図３のステップＳ１０１およびステップＳ１０２で説明したように、セル電圧検出回路８９によって燃料スタック８１のセル電圧を測定し、その結果に基づいて、パージが必要であることを燃料電池システム制御回路９０がシステム制御回路に出力したか否かにより決定してもよい。
【０１０５】
以上説明したように、本実施形態に係るデジタル一眼レフカメラは、デジタル一眼レフカメラを長時間放置して燃料電池８０を駆動していなかったことにより燃料電池８０内の燃料極の燃料ガスが減少してしまった場合であっても、オートパワーオフを行う前にパージを行うことにより燃料極に燃料ガスが充填することができる。これにより、次に、電子カメラ本体１００を起動する場合に、燃料電池８０の出力電圧の立ち上がりを良好なものにすることが可能である。
【０１０６】
［使用状態４］
使用状態４は、デジタル一眼レフカメラを長時間放置して燃料電池８０を駆動していなかったことにより燃料電池８０内の燃料極の燃料ガスが減少した状態で、かつ、オートパワーオフの状態から、再起動したという使用状態である。図８は、使用状態４でのデジタル一眼レフカメラにおける燃料電池８０の制御動作例を示すフローチャートである。
【０１０７】
図８に示すように、まず、システム制御回路５０は、電源スイッチ７２がＯＮされたか否かを判別する（ステップＳ５０１）。ここで、電源スイッチ７２がＯＮされたと判別した場合（ステップＳ５０１のＹＥＳ）には、システム制御回路５０は、燃料電池８０の駆動を開始し、デジタル一眼レフカメラを起動する。（ステップＳ５０２）。また、電源スイッチ７２がＯＦＦであると判別した場合（ステップＳ５０１のＮＯ）には、システム制御回路５０は、電源スイッチ７２がＯＮされるまで判別を繰り返す。なお、電源スイッチ７２がＯＦＦの状態であるときには、デジタル一眼レフカメラに電力が供給されていないので、判別処理は行わないこととなる。電源スイッチ７２がＯＦＦの状態からＯＮの状態にされたときに、システム制御回路５０は電力の供給を受けて、電源スイッチの状態を判別することになる。
【０１０８】
デジタル一眼レフカメラを起動後、システム制御回路５０は、タイミング発生回路１８を制御して操作部７０などの各種操作スイッチが最後に操作されてから現在までの時間を計測し、カメラ無操作状態が所定時間に達したか否かを判別する（ステップＳ５０３）。
【０１０９】
上記ステップＳ５０３において、カメラ無操作状態が所定時間に達していないと判別した場合（ステップＳ５０３のＮＯ）には、システム制御回路５０は、カメラ無操作状態が所定時間以上となるまで、操作部７０などの各種操作スイッチが最後に操作されてから現在までの時間を繰り返し計測する。
【０１１０】
また、上記ステップＳ５０３において、カメラ無操作状態が所定時間に達したと判別した場合（ステップＳ５０３のＹＥＳ）には、システム制御回路５０は、電子カメラ本体１００の駆動に関する主な電力供給を停止する（ステップＳ５０４）。なお、電子カメラ本体１００の駆動に関する主な電力供給が停止されていても、システム制御回路５０への電力供給は例えば電源ユニット１１６から継続されている。次に、システム制御回路５０は、操作部７０などの各種操作スイッチが操作されたか否か（カメラ無操作状態が終了したか否か）を判断する（ステップＳ５０５）。
【０１１１】
ここで、カメラ無操作状態が続いていると判断した場合（ステップＳ５０５のＮＯ）には、システム制御回路５０は、操作部７０などの各種操作スイッチが再度操作されるまで、繰り返し判断を行う。また、ステップＳ５０５において、操作部７０などの各種操作スイッチ操作を検知したと判断した場合（ステップＳ５０５のＹＥＳ）には、システム制御回路５０は、電源制御回路９８を制御して燃料電池８０の駆動を停止し、電源切替部９７を制御して電子カメラ本体１００の電源を燃料電池８０から電源ユニット１１６に切り替え、電子カメラ本体１００への電力供給を開始する（ステップＳ５０６）。
【０１１２】
続いて、システム制御回路５０は、燃料電池システム制御回路９０にパージ開始の信号を出力する。これにより、燃料電池システム制御回路９０は、パージ弁８３を駆動させてパージを行い、燃料電池スタック８１内の余剰水分や不純物を排気口９６から電子カメラ本体１００の外部へ排気する。パージ中は、燃料電池スタック８１内の水素圧力が所定値に保たれるように、燃料タンク４００内の水素吸蔵合金４１０から常時水素が排出され、コネクタ９３および４１２を介して燃料電池８０に送られる（ステップＳ５０７）。パージ終了後、システム制御回路５０は、電源切替部９７を制御して電子カメラ本体１００の電源を電源ユニット１１６から燃料電池８０に切り替える（ステップＳ５０８）。
【０１１３】
なお、ステップＳ５０６からステップＳ５０７へ移行する場合において、システム制御回路５０が燃料電池システム制御回路９０にパージ開始信号を出力するか否かを、図３のステップＳ１０１およびステップＳ１０２で説明したように、セル電圧検出回路８９によって燃料スタック８１のセル電圧を測定し、その結果に基づいて、パージが必要であることを燃料電池システム制御回路９０がシステム制御回路に出力したか否かにより決定してもよい。
【０１１４】
以上説明したように、本実施形態に係るデジタル一眼レフカメラでは、デジタル一眼レフカメラを長時間放置して燃料電池８０を駆動していなかったことにより燃料電池８０内の燃料極の燃料ガスが減少した状態で、かつ、オートパワーオフした状態である時に再起動する場合には、燃料電池８０のパージを行うことができる。これにより、燃料電池８０の燃料極に燃料ガスが充填されるので、再起動時における燃料電池８０の出力電圧の立ち上がりを良好なものにすることが可能である。また、パージ中は燃料電池８０以外の電源ユニット１１６に切り替えるので、パージ中に燃料電池８０の出力電圧が降下してもデジタル一眼レフカメラの動作に影響を与えずに駆動を継続することが可能である。
【０１１５】
［使用状態５］
使用状態５は、デジタル一眼レフカメラの使用者がパージ作動スイッチ７８をオンした時にパージをするという使用状態である。図９は、使用状態５でのデジタル一眼レフカメラにおける燃料電池８０の制御動作例を示すフローチャートである。
【０１１６】
図９に示すように、まず、システム制御回路５０は、電源スイッチ７２がＯＮされたか否かを判別する（ステップＳ６０１）。ここで、電源スイッチ７２がＯＮされたと判別した場合（ステップＳ６０１のＹＥＳ）には、システム制御回路５０は、燃料電池８０の駆動を開始し、デジタル一眼レフカメラを起動する（ステップＳ６０２）。また、電源スイッチ７２がＯＦＦだと判別した場合（ステップＳ６０１のＮＯ）には、システム制御回路５０は、電源スイッチ７２がＯＮされるまで判別を繰り返す。なお、電源スイッチ７２がＯＦＦの状態であるときには、デジタル一眼レフカメラに電力が供給されていないので、判別処理は行わないこととなる。電源スイッチ７２がＯＦＦの状態からＯＮの状態にされたときに、システム制御回路５０は電力の供給を受けて、電源スイッチの状態を判別することになる。
【０１１７】
ステップＳ６０２においてカメラ起動後、システム制御回路５０は、タイミング発生回路１８を制御してデジタル一眼レフカメラが起動してから現在までの時間を計測し、所定時間に達したか否かを判別する（ステップＳ６０３）。このステップＳ６０３において、デジタル一眼レフカメラ起動後から現在までの時間が所定時間に達していなかいと判別した場合（ステップＳ６０３のＮＯ）には、システム制御回路５０は、所定時間以上となるまで、デジタル一眼レフカメラが起動してから現在までの時間を繰り返し計測する。
【０１１８】
また、ステップＳ６０３において、デジタル一眼レフカメラ起動後から現在までの時間が所定時間に達したと判別した場合（ステップＳ６０３のＹＥＳ）には、システム制御回路５０は、パージ警告部５５を制御して、デジタル一眼レフカメラの使用者にパージ作動スイッチ７８をＯＮするように警告を出す（ステップＳ６０４）。
【０１１９】
続いて、システム制御回路５０は、使用者によりパージ作動スイッチ７８がＯＮされたか否かを判別する（ステップＳ６０５）。ここで、パージ作動スイッチ７８がＯＮされていないと判別した場合（ステップＳ６０５のＮＯ）には、システム制御回路５０は、パージ警告部５５により警告を出し続けると共に、パージ作動スイッチ７８がＯＮされたか否かを繰り返し判別する。
【０１２０】
また、ステップＳ６０５において、パージ警告部５５の警告により使用者がパージ作動スイッチ７８をＯＮしたと判別された場合（ステップＳ６０５のＹＥＳ）には、システム制御回路５０は、電源切替部９７を制御して電子カメラ本体１００の電源を燃料電池８０から電源ユニット１１６に切り替える（ステップＳ６０６）。
【０１２１】
続いて、システム制御回路５０は、燃料電池システム制御回路９０にパージ開始の信号を出力する。これにより、燃料電池システム制御回路９０は、パージ弁８３を駆動させてパージを行い、燃料電池スタック８１内の余剰水分や不純物を排気口９６から電子カメラ本体１００の外部へ排気する。パージ中は、燃料電池スタック８１内の水素圧力が所定値に保たれるように、燃料タンク４００内の水素吸蔵合金４１０から常時水素が排出され、コネクタ９３および４１２を介して燃料電池８０に送られる（ステップＳ６０７）。
【０１２２】
パージ終了後、システム制御回路５０は、電源切替部９７を制御して電子カメラ本体１００の電源を電源ユニット１１６から燃料電池８０に切り替える（ステップＳ６０８）。次に、システム制御回路５０は、タイミング発生回路１８を制御してパージ終了時から現在までの時間を計測し、所定時間に達したか否かを判別する（ステップＳ６０９）。
【０１２３】
ステップＳ６０９において、パージ終了時から現在までの時間が所定時間に達していなかった場合（ステップＳ６０９のＮＯ）には、システム制御回路５０は、所定時間以上となるまで、パージが終了してから現在までの時間を繰り返し計測する。また、ステップＳ６０９において、パージ終了時から現在までの時間が所定時間に達したと判別した場合（ステップＳ６０９のＹＥＳ）には、ステップＳ６０４へ戻る。
【０１２４】
なお、ステップＳ６０４において警告を出す場合に、セル電圧検出回路８９によって燃料スタック８１のセル電圧を測定し、その結果に基づいて、パージが必要であることを燃料電池システム制御回路９０がシステム制御回路に出力したかどうかを、判断の対象に加えてもよい。つまり、パージが必要でないと判断されるときには、警告を出さないようにすることも可能である。
【０１２５】
以上説明したように、本実施形態に係るデジタル一眼レフカメラは、デジタル一眼レフカメラの使用者がパージ作動スイッチ７８をオンした時にパージをするので、パージ中の電圧降下やパージによる衝撃（使用者の手の位置や顔の位置によっては、パージによる排気口９６からの排気に驚くなどの衝撃を受ける可能性がある）に煩わされることなく、デジタル一眼レフカメラの使用を継続することが可能である。
【０１２６】
そして、デジタル一眼レフカメラの連続駆動時間からパージが必要なタイミングを判別し、パージが必要となった場合は警告を出すことによって、デジタル一眼レフカメラの使用者にパージ作動スイッチ７８を押すタイミングを教示することが可能である。また、パージ中は燃料電池８０以外の電源ユニットに切り替えるので、パージ中の電圧降下によるデジタル一眼レフカメラの電池切れを防止し、デジタル一眼レフカメラに影響を与えずに駆動を継続することが出来る。
【０１２７】
［使用状態５の他の動作例］
上述した使用状態５と同じ使用状態で、図９と異なる動作を行う他の動作例について説明する。
図１０は、使用状態５でのデジタル一眼レフカメラにおける燃料電池８０の制御動作例を示すフローチャートである。なお、図１０に示すステップＳ７０１〜Ｓ７０２及び、ステップＳ７０４〜Ｓ７０７の処理は、図９に示したステップＳ６０１〜Ｓ６０２及び、ステップＳ６０４〜Ｓ６０７と同様の処理であり説明を省略する。
【０１２８】
ステップＳ７０２においてカメラ起動後、燃料電池システム制御回路９０は、セル電圧検出回路８９によって燃料電池スタック８１のセル電圧を測定し、セル電圧が所定値よりも降下しているか否か（＝パージが必要か否か）を判別する（ステップＳ７０３）。
【０１２９】
ここでセル電圧が所定値よりも大きいと判別した場合（ステップＳ７０３のＮＯ）には、再度、セル電圧検出回路８９によって燃料電池スタック８１のセル電圧を測定し、セル電圧が所定値よりも降下するまでステップＳ７０３を繰り返す。また、セル電圧が所定値よりも降下していると判別した場合（ステップＳ７０３のＹＥＳ）には、燃料電池システム制御回路９０は、パージが必要となったことをシステム制御回路５０へ出力する。これにより、システム制御回路５０は、パージ警告部５５を制御して、使用者にパージ作動スイッチ７８をＯＮするように警告を出す（ステップＳ７０４）。
【０１３０】
ステップＳ７０７においてパージ終了後、システム制御回路５０は、電源切替部９７を制御して電子カメラ本体１００の電源を電源ユニット１１６から燃料電池８０に切り替え（ステップＳ７０８）、ステップＳ７０３に戻る。
【０１３１】
以上説明したように、本実施形態に係るデジタル一眼レフカメラでは、デジタル一眼レフカメラの使用者がパージ作動スイッチ７８をオンした時にパージをするので、パージ中の電圧降下やパージによる衝撃に煩わされることなく、デジタル一眼レフカメラの使用を継続することが可能である。
【０１３２】
また、燃料電池８０の出力電圧からパージが必要なタイミングを判別し、パージが必要となった場合は警告を出すことによって、デジタル一眼レフカメラの使用者にパージ作動スイッチを押すタイミングを教示することが可能である。また、パージ中は燃料電池８０以外の電源ユニット１１６に切り替えるので、パージ中の電圧降下によるデジタル一眼レフカメラの電池切れを防止し、デジタル一眼レフカメラの動作に影響を与えずに燃料電池８０による駆動を継続することが出来る。
【０１３３】
なお、上述した実施形態では、燃料電池８０が電子カメラ本体１００に内蔵され、燃料タンク４００が電子カメラ本体１００に対して着脱可能な形態としたが、これは本発明の好適な実施の形態の一例を示すものであり、本発明はそれに限定されるものではなく、燃料電池８０が燃料タンク４００と共に電子カメラ本体１００の外部に配設され、コネクタ９３および４１２を介して電子カメラ本体１００に装着されるような形態にしても実施可能である。この場合には、電源電圧を伝達する電源線と、システム制御回路５０及び燃料電池システム制御回路９０間で信号を送受信するための信号線が設けられる。
【０１３４】
以上に説明したように、本実施形態のデジタル一眼レフカメラは、自身の状態に応じてパージを行うので、自身の動作に影響しないタイミングで燃料電池８０のパージを行うことができ、燃料電池８０の駆動を継続することが出来る。また、本実施形態のデジタル一眼レフカメラは、自身の動作シーケンス内において、消費電力量が少ないタイミングでパージを行うので、パージ中の電圧降下によるデジタル一眼レフカメラの電池切れ等を防止できる。
【０１３５】
また、本実施形態のデジタル一眼レフカメラは、デジタル一眼レフカメラを長時間放置して燃料電池８０を駆動していなかったことにより燃料電池８０内の燃料極の燃料ガスが減少した状態であっても、デジタル一眼レフカメラの電源スイッチ７２がオンとなった時にパージを行うことにより燃料極に燃料ガスが充填されるので、出力電圧の立ち上がりを良好なものにすることが出来る。
【０１３６】
以上、この発明の実施形態について図面を参照して詳述してきたが、具体的な構成はこの実施形態に限られるものではなく、この発明の要旨を逸脱しない範囲の設計等も含まれる。
【０１３７】
本発明の実施形態では、本発明の電子機器として、デジタル一眼レフカメラを適用した例を示して説明を行ったが、本発明の電子機器としては、デジタル一眼レフカメラに限られるものではなく、例えば、コンパクトカメラ、ＰＤＡ、携帯電話、あるいはノートパソコンなどの小型電子機器にも適用が可能である。
【０１３８】
前述した本実施形態に係るデジタル一眼レフカメラを構成する図１及び図２の各手段、並びにデジタル一眼レフカメラの制御方法を示した図３及び図５〜図１０の各ステップは、コンピュータのＲＡＭやＲＯＭなどに記憶されたプログラムが動作することによって実現できる。このプログラム及び当該プログラムを記録したコンピュータ読み取り可能な記録媒体は本発明に含まれる。
【０１３９】
具体的に、前記プログラムは、例えばＣＤ−ＲＯＭのような記録媒体に記録し、あるいは各種伝送媒体を介し、コンピュータに提供される。前記プログラムを記録する記録媒体としては、ＣＤ−ＲＯＭ以外に、フレキシブルディスク、ハードディスク、磁気テープ、光磁気ディスク、不揮発性メモリカード等を用いることができる。他方、前記プログラムの伝送媒体としては、プログラム情報を搬送波として伝搬させて供給するためのコンピュータネットワーク（ＬＡＮ、インターネットの等のＷＡＮ、無線通信ネットワーク等）システムにおける通信媒体（光ファイバ等の有線回線や無線回線等）を用いることができる。
【０１４０】
また、コンピュータが供給されたプログラムを実行することにより本実施形態のデジタル一眼レフカメラの機能が実現されるだけでなく、そのプログラムがコンピュータにおいて稼働しているＯＳ（オペレーティングシステム）、あるいは他のアプリケーションソフト等と共同して本実施形態のデジタル一眼レフカメラの機能が実現される場合や、供給されたプログラムの処理の全て、あるいは一部がコンピュータの機能拡張ボードや機能拡張ユニットにより行われて本実施形態のデジタル一眼レフカメラの機能が実現される場合も、かかるプログラムは本発明に含まれる。
【０１４１】
［携帯電話装置への適用例］
次に、本発明を適用した携帯用の電子機器として、携帯電話装置を例にして説明する。
図１３は、本発明の一実施形態である携帯電話装置の内部構成を示すブロック図である。燃料電池８０および燃料タンク４００については、説明の便宜上図１と同一の符号を付している。
【０１４２】
図１３に示すように、本実施形態の携帯電話装置は、携帯電話本体５００と、燃料タンク（水素供給源装置）４００と、電源ユニット６００と、燃料電池ユニット７００とから構成される。また、燃料タンク４００および電源ユニット６００は、携帯電話本体５００に着脱可能な構成で装着されている。
【０１４３】
５１０は、携帯電話システム制御回路であり、ＣＰＵ（Ｃｅｎｔｒａｌ  Ｐｒｏｃｅｓｓｉｎｇ  Ｕｎｉｔ）、内部ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）（いずれも図示せず）などを備え、ＣＰＵにおいて、内部ＲＡＭの所定領域を作業領域としてＲＯＭに記憶されている各種制御プログラムに従い、携帯電話本体５００全体を制御する。
【０１４４】
５１２は、揮発メモリであるＲＡＭ、磁気的・光学的記録媒体とその読み取り手段、不揮発性メモリなど（いずれも図示せず）の記憶部であり、例えばＯＳ（Ｏｐｅｒａｔｉｎｇ  Ｓｙｓｔｅｍ）や各種動作プログラムなど、携帯電話本体５００のシステムまたは動作に係るプログラムや動画・音声などの各種データを格納する。
【０１４５】
５２０は、表示ドライバ、５２２は、メイン表示部、５２４は、サブ表示部であり、携帯電話システム制御回路５１０から入力される画像信号を表示ドライバ５２０で変換して画像出力信号としてメイン表示部５２２またはサブ表示部５２４へ出力し、画像を表示する。
【０１４６】
５３０は、各種ボタンやタッチパネルなどからなる操作部である。
５３２は、携帯電話システム制御回路５１０から入力される音声出力データに基づいて音声を出力するスピーカーである。
【０１４７】
５３４は、外部から入力された音声を音声アナログ信号に変換して携帯電話システム制御回路５１０へ出力するマイクである。
５３６は、電源スイッチ（電源ＳＷ）であり、携帯電話本体５００の電源オン、電源オフの各モードを切り替え設定することが出来る。
５３８は、携帯電話本体５００の駆動電力を検出する駆動電力検出回路である。
【０１４８】
５４０は、燃料切れ警告手段であり、燃料タンク４００の水素吸蔵合金４１０内の水素残量が携帯電話装置を駆動するために必要な所定量より下回った場合、水素吸蔵合金４１０へ水素を急増させる必要があること、または水素吸蔵合金４１０内に携帯電話装置を駆動するに足る量の水素が吸蔵されている燃料タンク４００を燃料電池ユニット７００に装着する必要があることを使用者に知らせる警告手段である。
【０１４９】
５４２は、電源切替部であり、携帯電話システム制御回路５１０の制御に基づいて、携帯電話本体５００の電源を燃料電池ユニット７００から電源ユニット６００へ、もしくは電源ユニット６００から燃料電池ユニット７００へと切り替える。
【０１５０】
５４４は、電源制御回路であり、電池検出回路、ＤＣ−ＤＣコンバータ、通電するブロックを切り替えるスイッチ回路などにより構成されており、電池の種類、電池残量の検出を行い、検出結果および携帯電話システム制御回路５１０の指示に基づいて、ＤＣ−ＤＣコンバータを制御し、必要な電圧を必要な期間、各部へ供給する。
【０１５１】
５４６および６０４は、携帯電話本体５００と電源ユニット６００とを接続するコネクタである。
５４８および７０６は、携帯電話本体５００と燃料電池ユニット７００とを接続するコネクタである。
【０１５２】
５５２は、撮像素子、５５４は、撮影レンズであり、携帯電話システム制御回路５１０の指示により、撮影レンズ５５４から入光して撮像素子５５２に結像する画像を画像信号として携帯電話システム制御回路５１０へ出力する。
【０１５３】
５６２は、通信用アンテナであり、５６４は、受信信号または送信信号のＲＦ処理を行う無線部である。
５６６、は送受信の切り替えスイッチであり、携帯電話システム制御回路５１０により、受信側もしくは送信側に接続される。
【０１５４】
５６８は、受信部であり、５７０は、受信データ処理部である。また、５７２は、送信部であり、５７４は、送信データ処理部である。
受信モードでは、携帯電話システム制御回路５１０による制御のもとで、まず切り替えスイッチ５６６が受信部５６８側に接続される。通信用アンテナ５６２で受信された信号は、無線部５６４でＲＦ処理された後、受信部５６８で復調され、受信データ処理部５７０で復号化される。
【０１５５】
信号が音声データであればスピーカー５３２から出力され、テキストデータや画像データであれば表示ドライバ５２０を介してメイン表示部５２２もしくはサブ表示部５２４に表示される。
【０１５６】
一方、送信モードでは、携帯電話システム制御回路５１０による制御のもと、切り替えスイッチ５６６が送信部５７２側に接続される。操作部５３０やマイク５３４、撮像素子５５２から入力されたデータは送信データ処理部５７４に入力され、送信データ処理部５７４で符号化され、送信部５７２で変調されて、無線部５６４にてＲＦ処理された後、通信用アンテナ５６２から送信される。
【０１５７】
次に電源ユニット６００について説明する。電源ユニット６００は、電源６０２およびコネクタ６０４から構成されている。電源６０２は、アルカリ電池やリチウム電池などの一次電池やＮｉＣｄ電池やＮｉＭＨ電池、Ｌｉ電池などの二次電池、ＡＣアダプタなどからなる。コネクタ６０４は、電源ユニット６００と携帯電話本体５００を接続するためのコネクタである。
【０１５８】
続いて燃料電池ユニット７００について説明する。燃料電池ユニット７００は、燃料電池部８０および燃料残量検知手段７０２、燃料タンク着脱検知部７０４、コネクタ７０６およびコネクタ７０８、吸気口７１０、排気口７１２、から構成されている。本実施形態の携帯電話装置において、燃料電池ユニット７００は、携帯電話本体５００に着脱可能な形態となっており、また、燃料タンク４００は、燃料電池ユニット７００に着脱可能な形態となっている。
【０１５９】
燃料残量検知手段７０２は、コネクタ７０６およびコネクタ４１２によって燃料電池ユニット７００と接続されている燃料タンク４００内の燃料残量、つまり水素吸蔵合金４１０内の水素残量を検知する検知手段である。
【０１６０】
７０４は、燃料タンク４００がコネクタ７０８に装着されているか否かを検知する燃料タンク着脱検知部である。
【０１６１】
コネクタ７０６は、携帯電話本体５００と燃料電池ユニット７００とを接続するためのコネクタであり、コネクタ７０８は、燃料電池ユニット７００と燃料タンク４００とを接続するためのコネクタである。７１０は、燃料電池８０の酸素極（図示せず）に空気を送り込むための吸気口である。７１２は、燃料電池８０においてパージを行った際に水素および不純物や燃料電池８０において使用した空気を携帯電話本体５００から外部へ排気するための排気口である。
【０１６２】
次に、図１３に示した携帯電話装置におけるパージ制御動作について説明する。
図１４は、図１３に示した携帯電話装置におけるパージ制御動作を示すフローチャートである。まず、燃料電池８０を電力供給手段として携帯電話本体５００を駆動させている際、燃料電池システム制御回路９０は、セル電圧検出回路８９によって燃料電池スタック８１のセル電圧を測定し、セル電圧が、パージが必要とされる第１の所定値よりも降下しているか否かを判別する（ステップＳ８０１）。
【０１６３】
ここで、セル電圧が第１の所定値よりも大きいと判別した場合（ステップＳ８０１のＮＯ）には、燃料電池システム制御回路９０は、再度ステップＳ８０１に戻りセル電圧検出回路８９によって燃料電池スタック８１のセル電圧を測定し、セル電圧が第１の所定値よりも降下するまでステップＳ８０１を繰り返す。
【０１６４】
セル電圧が第１の所定値よりも降下していると判別した場合（ステップＳ８０１のＹＥＳ）、燃料電池システム制御回路９０は、燃料残量検知手段７０２を制御して水素吸蔵合金４１０内の水素残量を検知し、パージによる急激な水素放出に対しても十分な量の水素が水素吸蔵合金４１０内にあるか否かを判別する（ステップＳ８０２）。
【０１６５】
水素吸蔵合金４１０内の水素残量がパージを行うには不十分な量であった場合は（ステップＳ８０２のＮＯ）、ステップＳ８０４に進む。ステップＳ８０４へ進んだ以降の動作については、図１５を用いて後述する。
【０１６６】
水素吸蔵合金４１０内の水素残量が、パージによる急激な水素放出に対して十分な量であった場合（ステップＳ８０２のＹＥＳ）、燃料電池システム制御回路９０は、コネクタ５４８およびコネクタ７０４を介し、携帯電話システム制御回路５１０に対してパージ実行の許可を求める信号を送信する（ステップＳ８０３）。
【０１６７】
次に、携帯電話システム制御回路５１０は、燃料電池ユニット７００のパージによる不純物排気が携帯電話本体５００の利用に影響がない状態であるか否かを判別する（ステップＳ８０５）。例えば携帯電話本体５００が撮像素子５５２による撮影中であった場合、パージを行ってしまうと、不純物排気時の振動により手ブレを起こしてしまう可能性がある。または、携帯電話本体５００がマイク５３４から外部音声を入力している状態だった場合、パージによる不純物排気時の音が入力されてしまう可能性もある。
【０１６８】
ステップＳ８０５において携帯電話本体５００の作動状態が燃料電池ユニット７００のパージによる影響を受けない状態であった場合（ステップＳ８０５のＹＥＳ）、携帯電話システム制御回路５１０は、駆動電力検出手段５３８を制御して、携帯電話本体５００の駆動電力がパージによる一時的な電圧低下にも影響がないレベルであるか否かを判別する（ステップＳ８０６）。
【０１６９】
ステップＳ８０５において携帯電話本体５００の作動状態が燃料電池ユニット７００のパージによる影響を受けてしまう状態であった場合（ステップＳ８０５のＮＯ）、燃料電池システム制御回路９０は、セル電圧検出回路８９によって燃料電池スタック８１のセル電圧を測定し、セル電圧が携帯電話本体５００を駆動するために必要とされる第２の所定値よりも降下しているか否かを判別する（ステップＳ８０７）。ここで、燃料電池スタック８１のセル電圧が第２の所定値よりも高かった場合は（ステップＳ８０７のＮＯ）、ステップＳ８０５へ戻る。
【０１７０】
燃料電池スタック８１のセル電圧が、携帯電話本体５００が駆動可能な第２の所定値よりも低かった場合（ステップＳ８０７のＹＥＳ）、携帯電話システム制御回路５１０は、電源切替部５４２を制御して携帯電話本体５００の電源を燃料電池ユニット７００から電源ユニット６００に切り替え、電源６０２からコネクタ５４６およびコネクタ６０４を介して携帯電話本体５００の各部へ電力が供給される（ステップＳ８０８）。
【０１７１】
続いて携帯電話システム制御回路５１０は、燃料電池ユニット７００のパージによる不純物排気が携帯電話本体５００の利用に影響がない状態であるか否かを判別する（ステップＳ８０９）。
【０１７２】
ステップＳ８０９において携帯電話本体５００の作動状態が燃料電池ユニット７００のパージによる影響を受けない状態であった場合（ステップＳ８０９のＹＥＳ）、ステップＳ８１３へ進む。
【０１７３】
ステップＳ８０９において携帯電話本体５００の作動状態が燃料電池ユニット７００のパージによる影響を受けてしまう状態であった場合（ステップＳ８０９のＮＯ）、携帯電話本体５００の作動状態がパージ可能な状態になるまで繰り返し判別を行う。
【０１７４】
ステップＳ８０６において、携帯電話本体５００の駆動電力がパージにより一時的に電圧低下が起こっても影響を受けないレベルであった場合（ステップＳ８０６のＹＥＳ）、携帯電話システム制御回路５１０は、コネクタ５４８およびコネクタ７０４を介して、燃料電池システム制御回路９０に対してパージ実行を許可する信号を送信する（ステップＳ８１０）。
【０１７５】
携帯電話システム制御回路５１０からのパージ許可信号を受けて、燃料電池システム制御回路９０は、パージ弁８３を制御駆動させてパージを行い、燃料電池スタック内の余剰水分や不純物を排気口７１０から燃料電池ユニット７００の外部へ排気する（ステップＳ８１１）。
【０１７６】
ステップＳ８０６において、携帯電話本体５００の駆動電力がパージによる電圧低下で影響を受けてしまうレベルであった場合（ステップＳ８０６のＮＯ）、携帯電話システム制御回路５１０は、電源切替部５４２を制御して携帯電話本体５００の電源を燃料電池ユニット７００から電源ユニット６００に切り替え、電源６０２からコネクタ５４６およびコネクタ６０４を介して携帯電話本体５００の各部へ電力が供給される（ステップＳ８１２）。
【０１７７】
続いて、携帯電話システム制御回路５１０は、コネクタ５４８およびコネクタ７０６を介して、燃料電池システム制御回路９０に対してパージ実行を許可する信号を送信する（ステップＳ８１３）。パージ許可信号を受けた燃料電池システム制御回路９０は、パージ弁８３を制御駆動させてパージを行い、燃料電池スタック内の余剰水分や不純物を排気口７１０から燃料電池ユニット７００の外部へ排気する（ステップＳ８１４）。
【０１７８】
パージが終了すると、燃料電池システム制御回路９０は、コネクタ５４８およびコネクタ７０６を介して携帯電話システム制御回路に、パージが終了したことを知らせる信号を送信する（ステップＳ８１５）。
【０１７９】
燃料電池システム制御回路９０からのパージ終了信号を受けた携帯電話システム制御回路５１０は、電源切替部５４２を制御して携帯電話本体５００の電源を電源ユニット６００から燃料電池ユニット７００に切替える（ステップＳ８１６）。
【０１８０】
図１５は、図１４のステップＳ８０２において、燃料タンク４００内の水素吸蔵合金４１０内に、パージによる急激な水素放出に対して十分な量の水素がなかった場合のフローチャートである。
【０１８１】
図１４のステップＳ８０２において、燃料電池システム制御回路９０が燃料残量検知手段７０２を制御して水素吸蔵合金４１０内の水素残量を検知してパージによる急激な水素放出に対しても十分な量の水素が水素吸蔵合金４１０内にあるか否かを判別し、水素吸蔵合金４１０内の水素残量がパージによる水素放出に不十分な量だった場合（ステップＳ８０２のＮＯ）、燃料電池システム制御回路９０は、コネクタ５４８およびコネクタ７０６を介して携帯電話システム制御回路５１０に携帯電話本体５００への供給電源を燃料電池ユニット７００から電源ユニット６００に切り替えるよう、電源切り替え要求信号を送信する（ステップＳ９０１）。
【０１８２】
燃料電池システム制御回路９０からの電源切り替え要求信号を受信した携帯電話システム制御回路５１０は、電源切替部５４２を制御して携帯電話本体５００の電源を燃料電池ユニット７００から電源ユニット６００に切り替え、電源６０２からコネクタ５４６およびコネクタ６０４を介して、携帯電話本体５００の各部へ電力が供給される（ステップＳ９０２）。
【０１８３】
続いて、携帯電話システム制御回路５１０は、燃料充填警告手段５４０を制御して、携帯電話装置使用者に燃料タンク４００の水素吸蔵合金４１０内に携帯電話装置を駆動させるに足る水素がないことを知らせる警告を出す（ステップＳ９０３）。
【０１８４】
以上説明したように、本実施形態に係る携帯電話装置は、燃料電池ユニット７００による出力電圧が低下してパージの実行が必要となった際には携帯電話システム制御回路５１０へパージ実行の許可を求める信号を送信し、パージが終了した際はパージ終了を知らせる信号を送信したり、水素吸蔵合金４１０内の水素残量がパージに必要な残量よりも少なかった場合は、電源の切り替えを要求する信号送信したりすることにより、携帯電話システム制御回路５１０が燃料電池ユニット７００の動作状態を把握することが可能となる。
【０１８５】
また、燃料電池ユニット７００からパージ許可要求信号を受けた携帯電話システム制御回路５１０は、携帯電話本体５００の駆動状態に応じてパージを許可する信号を燃料電池システム制御回路９０へ送信するので、パージによる衝撃（使用者の手の位置や顔の位置によっては、パージによる排気口７１０からの排気に驚くなどの衝撃を受ける可能性がある）に煩わされることなく、携帯電話装置の使用を継続することが可能である。
【０１８６】
更に、携帯電話本体５００がパージによる一時的な電圧降下に耐えられない場合は、携帯電話本体５００への供給電源を燃料電池ユニット７００から電源ユニット６００に切替えるので、パージ中の電圧降下による携帯電話本体５００の電池切れを防止し、携帯電話装置の動作に影響を与えずに燃料電池ユニット７００による駆動を継続することが出来る。
【図面の簡単な説明】
【０１８７】
【図１】本発明の一実施形態であるデジタル一眼レフカメラの内部構成を示すブロック図である。
【図２】図１に示したデジタル一眼レフカメラに搭載の燃料電池８０の内部構成例を示すブロック図である。
【図３】図１及び図２に示したデジタル一眼レフカメラにおける燃料電池８０の制御動作を示すフローチャートである。
【図４】デジタル一眼レフカメラの駆動シーケンスにおける消費電力量例を示す図である。
【図５】使用状態１でのデジタル一眼レフカメラにおける燃料電池８０の制御動作例を示すフローチャートである。
【図６】使用状態２でのデジタル一眼レフカメラにおける燃料電池８０の制御動作例を示すフローチャートである。
【図７】使用状態３でのデジタル一眼レフカメラにおける燃料電池８０の制御動作例を示すフローチャートである。
【図８】使用状態４でのデジタル一眼レフカメラにおける燃料電池８０の制御動作例を示すフローチャートである。
【図９】使用状態５でのデジタル一眼レフカメラにおける燃料電池８０の制御動作例を示すフローチャートである。
【図１０】使用状態５でのデジタル一眼レフカメラにおける燃料電池８０の制御動作例を示すフローチャートである。
【図１１】燃料電池を使用した際の出力電圧の変化を示す図である。
【図１２】パージを行いながら燃料電池を使用した際の出力電圧の変化を示す図である。
【図１３】本発明の一実施形態である携帯電話装置の内部構成を示すブロック図である。
【図１４】図１３に示した携帯電話装置における燃料電池ユニット７００の制御動作を示すフローチャートである。
【図１５】図１４のステップＳ８０２において、燃料タンク４００内の水素吸蔵合金４１０内に、パージによる急激な水素放出に対しても十分な量の水素がなかった場合のフローチャートである。
【符号の説明】
【０１８８】
５０        システム制御回路
５５        パージ警告部
７２        電源スイッチ
７４        燃料電池着脱検知手段
７６        駆動電力検出回路
７８        パージ作動スイッチ
８０        燃料電池
８１        燃料電池スタック
８３        パージ弁
８９        セル電圧検出回路
９４        吸気口
９６        排気口
９７        電源切替部
９８        電源制御回路
１００      電子カメラ本体
１１６      電源ユニット
３００      撮影レンズユニット
４００      燃料タンク
４１０      水素吸蔵合金
５００      携帯電話本体
５１０      携帯電話システム制御回路
７００      燃料電池ユニット
【図１】
2006344588.tif 000003
【図２】
2006344588.tif 000004
【図３】
2006344588.tif 000005
【図４】
2006344588.tif 000006
【図５】
2006344588.tif 000007
【図６】
2006344588.tif 000008
【図７】
2006344588.tif 000009
【図８】
2006344588.tif 000010
【図９】
2006344588.tif 000011
【図１０】
2006344588.tif 000012
【図１１】
2006344588.tif 000013
【図１２】
2006344588.tif 000014
【図１３】
2006344588.tif 000015
【図１４】
2006344588.tif 000016
【図１５】
2006344588.tif 000017